(57)【要約】      （修正有）【課題】洗顔や身体洗浄に適した粒子径の細かい泡を簡易かつ迅速に作りだすことができると共に、操作性に優れ、かつ使用後の器具へのカビや細菌の繁殖も防止できる洗浄剤泡だて器を提供する。【解決手段】上部開口１２を有する容器本体１０、該上部開口を覆い、中央部に操作用開放部を設けたフタ体２０、並びに操作用開放部に挿入される操作スティック３１及び該スティックの先端近傍に設置されて容器の底面部からフタ体の間を上下動可能なメッシュ板３５を有してなる撹拌部材３０からなり、フタ体の裏面側には容器内方向に向けた多数の突起が設けられ、メッシュ板は、前記突起が貫通する多数の小孔が設けられる。【選択図】図１
0003226422.tif 000002
【実用新案登録請求の範囲】
【請求項１】
上部開口を有する容器本体、
該上部開口を覆い、中央部に操作用開放部を設けたフタ体、並びに
操作用開放部に挿入される操作スティック及び該スティックの先端近傍に設置されて容器の底面部からフタ体の間を上下動可能なメッシュ板を有してなる撹拌部材からなり、
前記フタ体の裏面側には容器内方向に向けた多数の突起が設けられ、
前記メッシュ板は、前記突起が貫通する多数の小孔が設けられてなる洗浄剤泡だて器。
【請求項２】
容器本体に吊り下げ用フック部を設けてなる請求項１の洗浄剤泡だて器。
【請求項３】
フタ体の操作用開放部が中央部に設けた貫通孔である請求項１又は２の洗浄剤泡だて器。
【請求項４】
フタ体の操作用開放部がフタ体の中央部からフタ体の外縁に延長形成されたスリットである請求項１〜３いずれかの洗浄剤泡だて器。
【請求項５】
容器本体の形態が平面視において、八角形である前記請求項１〜４いずれかの洗浄剤泡だて器。
【請求項６】
前記メッシュ板が操作スティックの先端部分に着脱自在に取り付けられてなる請求項１〜５いずれかの洗浄剤泡だて器。
【請求項７】
フタ体裏面の突起数がメッシュ板の小孔数の40〜60％である請求項１〜６いずれかの洗浄剤泡だて器。
【考案の詳細な説明】
【技術分野】
【０００１】
本発明は洗浄剤泡だて器に関する。さらに詳しくは、洗顔、浴用など美容・衛生のため使用される洗浄剤、特に固形・粒状・液状の石鹸や洗顔料等の洗浄剤を用いる場合に泡を効率よく容易に作りだすことのできる洗浄剤用泡だて器に関する。
【背景技術】
【０００２】
従来、手指や顔等の身体を洗浄する石鹸等の洗浄剤の使用にあたっては、手指で顔面や身体の皮膚をこすっている。このような日々の洗顔、入浴時の動作は肌に大きな刺激となり必要な皮脂や水分まで落としかねず、肌に炎症を起こして、肌のキメの荒れ、保水力の低下を生じ、乾燥肌や肌トラブルの原因になるといわれている。
このようなことから、近年、肌を洗浄するにあたっては洗浄剤から作った泡を用いることが肌トラブルの改善に役立つと期待されている。また、粒子径の細かい泡は単位体積当たりの表面積が大きく皮膚表面の汚れ除去への有効性の期待がある。
【０００３】
このように洗浄剤から泡を作りだす方法としては、固形石鹸又は液体石鹸を両手で繊維製のネットと擦り合わせる方法もあり、また、容器内に石鹸と少量の湯水を入れ撹拌する泡だて器なども多く提案されている(例えば特許文献１)。
しかしながら、ネットを用いて両手で泡立てる方法では泡の生成が容易とはいえず、殊に粒子径の細かい泡の生成は困難である。また、使用後のネットは水分が多く、カビや細菌が発生する懸念も大きい。
一方、従来の洗浄剤泡だて器では洗浄・洗顔フォームの取り出しが不便である、泡立ての効率、容器の持ち運び、乾燥しやすさが未だ十分なものとはいえないなど改善の余地が大きい。
【先行技術文献】
【特許文献】
【０００４】
【特許文献１】特許第5957019号公報
【考案の概要】
【考案が解決しようとする課題】
【０００５】
本考案の目的は従来の洗浄剤泡だて器の課題を解決し、洗顔や身体洗浄に適した粒子径の細かい泡を簡易かつ迅速に作りだすことができると共に、操作性に優れ、かつ使用後の器具へのカビや細菌の繁殖も防止できる洗浄剤泡だて器を提供することにある。
【課題を解決するための手段】
【０００６】
本考案は、上部開口を有する容器本体、
該上部開口を覆い、中央部に操作用開放部を設けたフタ体、並びに
操作用開放部に挿入される操作スティック及び該スティックの先端近傍に設置されて容器の底面部からフタ体の間を上下動可能なメッシュ板を有してなる撹拌部材からなり、
前記フタ体の裏面側には容器内方向に向けた多数の突起が設けられ、
前記メッシュ板は、前記突起が貫通する多数の小孔が設けられてなる洗浄剤泡だて器を提供するものである。
【０００７】
容器本体の形態は、平面視、すなわち平面図における概略の形状として五角形〜十角形であるのがよく、八角形とするのが好ましい。このような形状にすることにより、泡の取り出しの便宜、使用後の器具の乾燥時の安定性に好ましい。器具の乾燥のためには、容器本体に吊り下げ用フック部、例えばリング状部を設けるのが好ましい。
メッシュ板は操作スティックの先端部分に着脱自在に取りつけてもよい。メッシュ板を操作スティックと分離できれば使用後の容器の洗浄、乾燥が容易となる。
【０００８】
フタ体の操作用開放部としては、中央部に設けた貫通孔であってもよく、フタ体の中央部からフタ体の外縁に延長して形成されたスリットであってもよい。
フタ体裏面の突起数はメッシュ板が小孔数の40〜60％であるのが好ましい。特にメッシュ板の中央部の小孔に対応した突起とし、フタ体の周辺部には突起を設けないことにより、成型が容易となり、メッシュ板の上下動による良好な泡の形成が容易となる。
【考案の効果】
【０００９】
本考案の洗浄剤泡だて器は洗顔や身体洗浄に適した粒子径の細かい泡を簡易かつ迅速に作りだすことができると共に、操作性に優れ、かつ使用後の器具へのカビや細菌の繁殖も防止できる。
【図面の簡単な説明】
【００１０】
【図１】(ａ)は本考案の一具体例を示す洗浄剤泡だて器の斜視図、(ｂ)はフタ体を持ち上げたところを示す斜視図である。
【図２】(ａ)は図１の泡だて器の容器本体側面の一部を破断して示す斜視図、(ｂ)はメッシュ板を中間まで引き上げた斜視図である。
【図３】(ｃ)は図２(ｂ)の洗浄剤泡だて器を下方よりみた斜視図、(ｄ)はメッシュ板を最上位まで引き上げたところを示す斜視図である。
【図４】(ａ)はフタ体の操作用開放部に通した操作スティックとメッシュ板との関係を示す斜視図、(ｂ)は操作用開放部の他の具体例を示す斜視図である。
【図５】本考案の洗浄剤泡だて器の使用方法を示す斜視図である。
【考案を実施するための形態】
【００１１】
つぎに図面を参照しつつ、具体例を用いて本考案を更に詳しく説明する。
図１は本考案の洗浄剤泡だて器の一具体例を示す斜視図(ａ)であり、そのフタ体を持ち上げたところを示す斜視図(ｂ)である。図２は図１(ａ)の泡だて器の容器本体側面の一部を破断して示す斜視図(ａ)及びこのメッシュ板を中間まで引き上げたところを示す斜視図(ｂ)である。これを下方より見た斜視図を図３(ｃ)に示し、メッシュ板を最上位まで引き上げたところを図３(ｄ)に示す。
【００１２】
この具体例の洗浄剤泡だて器１は、容器本体10、容器本体の開口を覆うフタ体20、容器内を上下動可能なメッシュ板35およびこれを外部から操作する操作スティック31を有する撹拌部材30からなる。
【００１３】
容器本体10は略八角形をなす底面部14及びこれから立ち上がる側壁16を有して上部開口12を形成する。上部開口12の周縁には本器具の乾燥時に用いる吊り下げ用のリング状部17が設けられる。容器本体には適量の洗浄剤を加えた温水を入れることができる。
フタ体20は上部開口を覆う容器本体10のフタであり、その中央部分に操作用開放部として貫通孔22を有し、裏面側には容器内方向に向け林立する多数の突起24からなる突起群が設けられる。
【００１４】
図４(ａ)に示すように、撹拌部材30の操作スティック31はフタ体の貫通孔22に挿入されて滑らかに上下動可能な構造をなす。その先端には円板状の先端連結板34ａが設けられ、これとやや間隔をあけて中央側にやや径の大きな副連結板34ｂが設けられる。この２つの連結板(34a，34b)とメッシュ板35に設けた後記連結フック38が嵌合することにより、操作スティック31の先端にメッシュ板35が着脱自在に固定される。操作スティック31の他端部(容器外部側)には上下動操作の便宜のためリング状の持ち手37が設けられる。
【００１５】
図３(ｃ)に示すように、メッシュ板35は前記の各突起24が貫通する多数の小孔36を設けたメッシュ状の板である。小孔は洗顔等に適した細かな泡が形成できるよう適正な孔径を有する。このメッシュ板35は、外部に突き出た操作スティック31の作動により容器底面からフタ体の間の容器本体内を上下動する。図３(ｄ)に示すように、最上位置において、メッシュ板35の小孔36にフタ体裏面側の突起24が貫通し、メッシュ板35はフタ体20の裏面に重なる。
【００１６】
メッシュ板35の中央には半円形筒状で上部の径が縮小した連結フック38が設けられ、メッシュ板との間に空間である連結ポケット39が形成される(図４(ａ))。この連結ポケット39に操作スティック先端の円板状の先端連結板34ａを嵌め込み、副連結板34ｂとの間隙にメッシュ板35の連結フック38が嵌って操作スティック先端にメッシュ板が着脱自在に固着される。本器具は使用後、分離して洗浄・乾燥を行うことができる。
【００１７】
本具体例においては、容器本体、フタ体は八角形であるが、乾燥時など側面を水平にする横置きにしても安定するような形状であれば容器本体は五角形〜十角形の適宜の多角形であってよい。また、必ずしも正多角形である必要はない。
また、本具体例では器具の乾燥のために容器本体の上部開口12の近傍に閉じた輪のリング状部17が設けられているが、フック型など、他の構造による吊り下げが可能なフック構造であってもよい。
【００１８】
本具体例においてはフタ体の操作用開放部は、フタ体20の中央部に設けた貫通孔22であるが、他の具体例の操作用開放部では、図４(ｂ)に示すようなフタ体の中央部からフタ体の外縁に延長し溝形の開放部として形成されたスリット23をなす。このような溝形開放部をフタ体に設けることにより、操作スティックとメッシュ板とが一体となった撹拌部材をフタ体の中央部に位置させてメッシュ板を上下に操作し泡を形成することができる。
【００１９】
フタ体の裏面の突起24の数は本具体例ではメッシュ板の小孔36のほぼ半分の数であるが同数としてもよい。小孔数に対する突起数は好ましくは30〜70％であり、より好ましくは40〜60％である。望ましい泡の形成、泡形成の効率、器具の成型などの面から前記範囲が好ましい。
【００２０】
(洗浄剤泡だて器の使用方法)
洗顔や身体洗浄のために石鹸など洗浄剤の泡を形成するには、つぎのように本考案の泡だて器を用いる。まず、図５に示すように、メッシュ板35とフタ体20の裏面とを重ねて、フタ体の各突起24をこれに対応するメッシュ板の小孔36に貫通させ、突起24の各先端をメッシュ板35の面上に覗かせ、突起24が林立する突起群に石鹸Ｓを擦り付ける。
ついで、図１のようにメッシュ板35と共にフタ体20を適量・適温の温水が入った容器本体10にかぶせて蓋をする。つぎに操作スティック31を操作してメッシュ板35を上下動し、洗顔・身体洗浄用の泡を形成する。適量の泡が生成したらフタ体20を撹拌部材30と共に容器本体10より取りはずし、容器本体内に生成した石鹸・洗浄剤の泡を洗浄用に用いる。
【００２１】
使用後、本考案の泡だて器を保管するにあたっては、容器本体が平面視にて多角形をなすため平面に安定して静置して乾燥することができる。また、容器本体のリング状部17にフックを引っ掛けて吊り下げ乾燥してもよく、衛生面にも優れている。
【産業上の利用可能性】
【００２２】
本考案の泡だて器によれば、洗顔や身体洗浄に適した粒子径の細かい泡を簡易かつ迅速に作りだすことができ、操作性もすぐれ、使用後の器具へのカビや細菌の繁殖を防ぐことができる。
【符号の説明】
【００２３】
１     洗浄剤泡だて器       10      容器本体
12     上部開口             14     底面部
16     側壁                 17     リング状部
20     フタ体               22     貫通孔
23     スリット             24     突起
30     撹拌部材             31     操作スティック
35     メッシュ板           36     小孔
37     持ち手               34a    先端連結板
34b    副連結板             38     連結フック
39     連結ポケット         Ｓ      石鹸
【図１】
0003226422.tif 000003
【図２】
0003226422.tif 000004
【図３】
0003226422.tif 000005
【図４】
0003226422.tif 000006
【図５】
0003226422.tif 000007
【手続補正書】
【提出日】令和2年3月9日(2020.3.9)
【手続補正１】
【補正対象書類名】実用新案登録請求の範囲
【補正対象項目名】請求項４
【補正方法】変更
【補正の内容】
【請求項４】
フタ体の操作用開放部がフタ体の中央部からフタ体の外縁に延長形成されたスリットである請求項１又は２の洗浄剤泡だて器。